(57)【要約】【課題】  寝台枠、ならびにヘッドエレメント、フットエレメント、およびサイドエレメントを容易に組み立ておよび解体でき、それにより、非常に小さな空間に収納することができる昇降ベッドを提供する。【解決手段】  寝台枠（８）、ヘッドエレメント（２）、フットエレメント（３）、サイドエレメント（４）によって連結することができる４本の伸縮式昇降用支柱を備える昇降ベッドにおいて、ヘッドエレメント、フットエレメント、サイドエレメントの簡単な組立および解体を可能にするために、各昇降用支柱が、隣接するサイドエレメント（４）側に向いた、軸と平行なスリット（５.４）を有し、寝台枠（８）およびサイドエレメント（４）は、スリット（５.４）の上方から摺動させて挿入される固定エレメント（４.３）を備えた。【選択図】図１
2006326307.tif 000002
【特許請求の範囲】
【請求項１】
寝台枠（８）、ならびにヘッドエレメント（２）、フットエレメント（３）、およびサイドエレメント（４）によって連結される４つの伸縮式の昇降用支柱を備えた昇降ベッドであって、
前記各昇降用支柱が、その軸と平行で、隣接する前記サイドエレメント（４）側に向いたスリット（５.４）を有し、前記寝台枠（８）および前記サイドエレメント（４）が、前記スリット（５.４）の上方から摺動して挿入する固定エレメント（４.３）を備えていることを特徴とする昇降ベッド。
【請求項２】
前記各昇降用支柱が、その軸と平行で、隣接する前記ヘッドエレメント（２）またはフットエレメント（３）側に向いたスリット（５.６）を備えており、前記ヘッドエレメント（２）およびフットエレメント（３）は、前記スリット（５.６）の上方から摺動されて挿入される固定エレメント（２.６）を備えたことを特徴とする請求項１に記載の昇降ベッド。
【請求項３】
前記スリット（５.４、５.６）があり溝状切込部を有することを特徴とする、請求項１又は２記載の昇降ベッド。
【請求項４】
前記寝台枠（８）、および、前記ヘッドエレメント（２）、フットエレメント（３）、またはサイドエレメント（４）が、前記スリット（５.４、５.６）内で前記固定エレメント（４.３、２.６）を非確動的または確動的にロックするロック手段を有する、請求項１乃至３のいずれか記載の昇降ベッド。
【請求項５】
前記昇降用支柱が回転駆動型伸縮筒（５）として設計され、伸縮筒の上側セクションが、前記１つまたは複数のスリット（５.４、５.６）を有する外側スリーブ（５.１）に形成された請求項１乃至４のいずれか記載の昇降ベッド。
【請求項６】
前記伸縮筒の上側セクションが、前記スリット（５.４、５.６）に対応して軸と平行に形成された一体型先丸突起（５.３、５.５）を備えた連続鋳造セクションとして設計された請求項５に記載の昇降ベッド。
【請求項７】
前記ヘッドエレメント（２）またはフットエレメント（３）を外装する各昇降用支柱（５）の下側内スリーブ（５.２）は、その下端部でブリッジ（６）を介して連結されてなる請求項５又は６記載の昇降ベッド。
【請求項８】
前記ブリッジ（６）によって連結された前記２本の回転駆動型伸縮筒（５）が、共通の電気モータ（７）によって駆動され、前記モータから回転駆動軸への動力伝達を行う歯付ベルト、ラダー・チェーン、またはシャフトが、ブリッジ（６）内に設けられてなる請求項７に記載の昇降ベッド。
【請求項９】
前記スリット（５.４）が前記サイドエレメント（４）で塞がれていない場合は、前記サイドエレメント（４）に適合される前記スリット（５.４）用のプラスチック製カバー（９）が設けられる請求項１乃至８のいずれか記載の昇降ベッド。
【請求項１０】
昇降用支柱が３段式の伸縮筒として設計される、請求項１から９の一項に記載の昇降ベッド。
【請求項１１】
請求項１乃至１０のいずれか記載の昇降ベッド（１）にその構成部品として使用される２段式伸縮筒ユニットであって、
軸と平行で、且つ、隣接するサイドエレメント（４）側に向いたスリット（５.４）をそれぞれ有する２本の伸縮式の昇降用支柱を備え、前記２本の昇降用支柱が、下端部でブリッジ（６）を介して堅く連結されており、また、車輪を取り付ける手段を有することを特徴とする２段式伸縮筒ユニット。
【請求項１２】
前記ブリッジ（６）上またはその内部に電気モータ（７）が設けられ、前記電気モータ（７）から回転駆動軸への動力伝達を行う歯付ベルト、ラダー・チェーンまたはシャフトが、前記ブリッジ（６）内に設けられて成る請求項１１に記載の２段式伸縮筒ユニット。
【発明の詳細な説明】
【技術分野】
【０００１】
本発明は、特に病院および病棟で使用され、病室の収容人数の変化に応じて病室から運び出されて一時保管場所にしまう機会が多い昇降ベッドと、その構成部品として頭側端部または足側端部に使用される２段式伸縮筒ユニットに関する。
【背景技術】
【０００２】
従来型の昇降ベッドでは、寝台枠、ならびに／または、ヘッドエレメント、フットエレメント、およびサイドエレメントが、昇降用支柱にきちんと溶接されており、したがって、一時保管する際に著しく大きな空間が必要になる。
【発明の開示】
【発明が解決しようとする課題】
【０００３】
本発明の目的は、寝台枠、ならびにヘッドエレメント、フットエレメント、およびサイドエレメントを容易に組み立ておよび解体でき、それにより、非常に小さな空間に収納することができる昇降ベッドおよび２段式伸縮筒ユニットを作成することである。
【課題を解決するための手段】
【０００４】
本発明によると、昇降ベッドは、ヘッドエレメント、フットエレメント、サイドエレメントに加えて寝台枠によって連結される４本の伸縮式昇降用支柱を備えている。
各昇降用支柱は、軸と平行で、隣接するサイドエレメント側に向いたスリットを有しており、寝台枠およびサイドエレメントは、これらに対応してスリットの上方から摺動させて挿入される固定エレメントを有する。
【０００５】
本発明の昇降ベッドを組み立てるには、固定エレメントをスリットの上方から摺動させて挿入する。
寝台枠の固定エレメントは、保持ねじや止めねじなどの適切な確動的手段または非確動的手段によって、昇降用支柱のスリット内の定位置に固定される。
サイドエレメントも同様に、スナップイン手段や締付手段などの適切な確動的手段または非確動的手段によって、可変の高さでスリット内の定位置に固定することができる。
そして、サイドエレメントは、ベッドに寝ている患者の転落を防止するための、通常サイド・レールと呼ばれる安全器具を形成している。
【０００６】
好ましくは、各昇降用支柱はまた、軸と平行で、隣接するヘッドエレメントまたはフットエレメント側に向いたスリットを備え、ヘッドエレメントおよびフットエレメントは、スリットに上方から摺動して挿入される対応する固定エレメントを備える。
【０００７】
本発明の好ましい実施形態では、スリットはあり溝状切込部を有し、固定エレメントの対応するセクションがそこに係合する。
【０００８】
本発明の好ましい実施形態では、昇降用支柱は、回転駆動型伸縮筒として設計され、伸縮筒の上側セクションが、１つまたは複数のスリットを有する外側スリーブを形成する。
【０００９】
伸縮筒の上側セクションは、スリットに対応して軸と平行に形成された一体型先丸突起を備えた連続鋳造セクションとして設計することができる。
【００１０】
特に、アルミニウムのセクションと他の材料で作成したセクションを連続鋳造することを考えた場合でも、スリットはこれらのセクション中に一体に形成される。
【００１１】
この回転駆動型伸縮筒は、２段式または多段式の伸縮筒、特に３段式の伸縮筒として設計することができる。
【００１２】
昇降用支柱は、昇降ベッドの昇降用支柱に求められる静的要求を満たし、ハウジング構成部品などの追加の静的構成部品を必要としない、本来的に安定した回転駆動型伸縮筒によって形成される。
【００１３】
本発明の好ましい実施形態では、ヘッドエレメントまたはフットエレメントを外装する各昇降用支柱の下側内スリーブは、その下端部、すなわち下部領域で、ブリッジを介して互いに堅く連結されている。
【００１４】
ブリッジによって連結された前記２本の回転駆動型伸縮筒は、共通の電気モータによって駆動され、前記モータから回転駆動軸への動力伝達を行う歯付ベルト、ラダー・チェーン、またはシャフトが、ブリッジ内に設けられてなる。
【００１５】
サイドエレメントに適合されるスリットがサイドエレメントで塞がれていない場合は、そのスリット又は昇降用支柱の開口端面とクランプ式またはスナップイン式に係合するプラスチック製カバーを設けることができる。
【００１６】
本発明によると、２本の伸縮式昇降用支柱を用いて、昇降ベッドの構成部品としての２段式伸縮筒ユニットを作成することができ、この状況において、この２本の昇降用支柱は、下端部、すなわち下部領域でブリッジを介して堅く連結されており、また、車輪を取り付ける手段を有する。
【００１７】
本発明の２段式伸縮筒ユニットは、上記実施形態の昇降ベッドのヘッドエンドまたはフットエンドの構成部品を形成する。
昇降用支柱は、軸と平行で、それぞれの場合に隣接するサイドエレメント側に向いたスリットを有し、または、それに加えて、隣接するヘッドエレメントもしくはフットエレメント側に向いたスリットをも有する。
そして、このスリットに、寝台枠の固定エレメント、ならびに、上記のヘッドエレメント、フットエレメント、およびサイドエレメントの固定エレメントをその上方から摺動させて挿入することができる。
【００１８】
ヘッドエレメントまたはフットエレメントは、対応するスリットに挿入され、あるいは、２本の昇降用支柱に他の方法で取り付けられる。この構成部品は、対応するヘッドエレメントまたはフットエレメントが設けられてないくても良い。
【００１９】
２本の昇降用支柱を駆動する電気モータは、１つのユニットを形成するように２本の昇降用支柱を連結するブリッジ上またはブリッジ内部に設けられる。モータから昇降用支柱への動力伝達は、ブリッジ内に設けられた歯付ベルト、ラダー・チェーン、またはシャフトを介して行うことができる。
【発明を実施するための最良の形態】
【００２０】
本発明の昇降ベッドの実施例を、図面に基づき以下により詳細に説明する。
【００２１】
各図面は以下の通りである。
図１は、昇降ベッドの透視図、
図２は、図１にＡで示す昇降用支柱の上部拡大図、
図３は、図１のＸ部拡大図、
図４は、図１のＹ部拡大図、
図５は、カバーのない昇降用支柱を、これに隣接するヘッドエレメントまたはフットエレメント、およびサイドエレメントと共に示す平面図、
図６は、図１に示した昇降ベッドを引き上げた状態の透視図である。
【００２２】
図１は、本発明の昇降ベッド１の透視図を示す。
昇降ベッド１は、ヘッドエレメント２およびフットエレメント３に加えて、いくつかのエレメントを備えたサイドエレメント４を備えている。ベッドの４つの角の柱は、伸縮筒５として設計され、したがって、ベッドを図１で示す低位置から図６で示す高位置に移動させることができる。
ヘッドエレメント２、フットエレメント３、およびサイドエレメント４は、伸縮筒の外側上方スリーブ５.１に互いに連結されている。ベッドの端部エレメント（ヘッドエレメントまたはフットエレメント）の縦縁となる伸縮筒５の各対は、その内側スリーブ５.２の下端部でブリッジ６を介して互いに堅く連結されている。
そのブリッジ上には電動モータ７が設けられ、このモータ７の駆動軸がブリッジ中に達する。各対の伸縮筒５の回転駆動軸が、共通のモータにより歯付ベルトにより同期的に駆動される。
【００２３】
寝台枠８は固定エレメント（図示せず）を有し、これによって、フレーム８がスリット５.４及び５.６（図５参照）にその上方から摺動式に挿入されるように成っている。
その寝台枠８は伸縮筒５の最下位置で停止されるように、スリット５.４及び５.６は下端が閉じている。
寝台枠を伸縮筒５に固定するために、止めねじ（図示せず）が設けられ、カウンタナットによりスリットにきつくクランプ締めされる。
【００２４】
寝台枠８は、その上に例えばすのこ構造のスラットベース等の寝台面を一体的に組み込んだり、別の実施形態では、例えばスラットベース等の寝台面を支持固定する支持エレメントを有してもよい。
【００２５】
伸縮筒５は、下端部に、車輪を取り付ける手段（図面には図示せず）を有する。車輪の少なくとも２つはロック可能な設計とすることができる。
【００２６】
図３および図４は、図１のさらなる拡大した細部ＸおよびＹを示す。
【００２７】
図５は、図１の円「Ｘ」の高さにおける拡大水平断面を示す。
伸縮筒のスリーブ５.１には、互いに直交する位置に配された２つの先丸突起５.３および５.５が一体形成され、各先丸突起には、あり溝状切込部を有するスリット５.４または５.６がスリーブの長さ全体にわたってその長手方向と平行に延設されている。
上記の寝台枠８と同様に、両側のサイドエレメント４、ならびにヘッドエレメント２およびフットエレメント３も、側部垂直端面に固定エレメント４.３および２.６を備え、これらはそれぞれスリット５.４および５.６に挿入される。
寝台枠８の固定エレメントを挿入し、ヘッド及びフットの端部エレメントおよびサイドエレメントの固定エレメントの挿入に続いて、伸縮筒のスリーブの上側がスナップイン式キャップ９で覆われる（図１のＡ部の細部を示す図２を参照）。
【図面の簡単な説明】
【００２８】
【図１】昇降ベッドの透視図。
【図２】図１にＡで示す昇降用支柱の上部拡大図。
【図３】図１のＸ部拡大図。
【図４】図１のＹ部拡大図。
【図５】カバーのない昇降用支柱を、これに隣接するヘッドエレメントまたはフットエレメント、およびサイドエレメントと共に示す平面図。
【図６】図１に示した昇降ベッドを引き上げた状態の透視図。
【符号の説明】
【００２９】
１  昇降ベッド
２  ヘッドエレメント
３  フットエレメント
４  サイドエレメント
５  伸縮筒
６  ブリッジ
７  電動モータ
８  寝台枠
９  キャップ
【図１】
2006326307.tif 000003
【図２】
2006326307.tif 000004
【図３】
2006326307.tif 000005
【図４】
2006326307.tif 000006
【図５】
2006326307.tif 000007
【図６】
2006326307.tif 000008
【外国語明細書】
2006326307000001.pdf
2006326307000002.pdf
2006326307000003.pdf
2006326307000004.pdf